(57)【特許請求の範囲】
【請求項１】
太陽光発電屋根であって、
架台と、下地材から離隔して配置されるとともに前記架台上に固定される太陽光パネルと、を備え、
前記架台は、前記下地材に固定される架台本体と、
前記架台本体の棟側の端部を覆うように配置される棟化粧材と、
前記棟化粧材の内側で前記下地材の上面に固定される水返し材と、
を備え、
前記太陽光パネルと前記下地材との間には、軒側に開口する軒側通気口と、棟側に開口する棟側通気口と、を有する通気路が形成され、
前記棟化粧材は、前記架台本体に取り付けられる棟アタッチメントと、前記棟アタッチメントに取り付けられる棟カバー取付部と、前記棟カバー取付部に取り付けられる棟カバーとを有し、前記棟側通気口を介して前記通気路に連通するとともに、外側に開口する排気口を有する排気路を形成し、
前記水返し材は、前記排気路を、前記通気路に連通する通気路側排気路と、前記排気口に連通する排気口側排気路とに仕切り、
前記水返し材は、前記下地材に立設される水返し本体部と、前記水返し本体部の上端部から両側に延出する延出部とを有し、
前記水返し本体部には、軒側から棟側に細長く延びる締結孔が形成され、
前記締結孔を挿通する締結部材により前記水返し材が前記下地材に固定される太陽光発電屋根。
【請求項２】
前記棟カバー取付部は、棟側に近づくに従って屋根面から離れる傾斜面を有する請求項１に記載の太陽光発電屋根。
【請求項３】
下地材から離隔して配置される太陽光パネルを備える太陽光発電屋根において、前記太陽光パネルを固定する架台であって、
前記下地材に固定される架台本体と、
前記架台本体の棟側の端部を覆うように配置される棟化粧材と、
前記棟化粧材の内側で前記下地材の上面に固定される水返し材と、
を備え、
前記架台本体は、前記太陽光パネルと前記下地材との間に、軒側に開口する軒側通気口と、棟側に開口する棟側通気口と、を有する通気路を形成し、
前記棟化粧材は、前記架台本体に取り付けられる棟アタッチメントと、前記棟アタッチメントに取り付けられる棟カバー取付部と、前記棟カバー取付部に取り付けられる棟カバーとを有し、前記棟側通気口を介して前記通気路に連通するとともに、外側に開口する排気口を有する排気路を形成し、
前記水返し材は、前記排気路を、前記通気路に連通する通気路側排気路と、前記排気口に連通する排気口側排気路とに仕切り、
前記水返し材は、前記下地材に立設される水返し本体部と、前記水返し本体部の上端部から両側に延出する延出部とを有し、
前記水返し本体部には、棟側から棟側に細長く延びる締結孔が形成され、
前記締結孔を挿通する締結部材により前記水返し材が前記下地材に固定される架台。
【発明の詳細な説明】
【技術分野】
【０００１】
本発明は、太陽光パネルが設けられる太陽光発電屋根及び架台に関する。
【背景技術】
【０００２】
従来から、建物の屋根と太陽光パネルとが一体に形成された太陽光発電屋根が知られている（例えば、特許文献１参照）。太陽光パネルは、温度が上昇することで発電効率が低下してしまう。そこで、太陽光発電屋根においては、一般的に、太陽光パネルを建物の下地材から離隔して配置している。これにより、太陽光パネルと建物の下地材との間に通気路が形成され、その通気路に空気が流れることで、太陽光パネルの温度上昇が抑えられる。
【０００３】
ところで、太陽光発電屋根ではないが、片流れ屋根の内部の換気のための構造として、軒側通気口とともに、棟側に配置された化粧材の上部に形成され軒側に開口した棟側通気口を有する通気路の形成された屋根が知られている（例えば、特許文献２参照）。
【先行技術文献】
【特許文献】
【０００４】
【特許文献１】特開２０１３−７６３０４号公報
【特許文献２】特許第３２８０６５７号公報
【発明の概要】
【発明が解決しようとする課題】
【０００５】
しかしながら、特許文献２に記載された、屋根の換気のための構造を、太陽光発電屋根に適用した場合、太陽光パネルの表面と棟化粧材の表面との間に段差が生じてしまい、外観の意匠性が悪化する。また、通気路の有する軒側通気口及び棟側通気口の両方が、軒側に向かって開口していることから、棟側から吹く風は通気路に吹き込まず、軒側から吹く風によって軒側通気口から通気路に吹き込んだ空気は棟側通気口において同じ軒側から吹く風によって押し返される。従って、このような構造の通気路の通気性は十分に満足できるものではない。
【０００６】
棟側から吹く風を通気路に呼び込むための排気路を棟化粧材によって形成することも考えられる。しかしながら排気口を棟化粧材によって形成する構成では、下地材の仕上がり寸法によって排気路が狭くなりすぎたり、広くなりすぎたりしてしまうおそれがある。施行される建物に応じて排気路を調整するためには、工場で事前に棟化粧材に加工を行ったり、現場で作業を行ったりする必要があり、効率性の観点から改善の余地があった。
【０００７】
本発明は、意匠性を向上させるとともに、建物の形状に応じて通気路の良好な通気性を実現できる太陽光発電屋根及びそれに用いられる架台を提供することを目的とする。
【課題を解決するための手段】
【０００８】
本発明は、太陽光発電屋根（例えば、後述の太陽光発電屋根１）であって、架台（例えば、後述の太陽光パネル架台４）と、下地材（例えば、後述の下地材３）から離隔して配置されるとともに前記架台上に固定される太陽光パネル（例えば、後述の太陽光パネル５）と、を備え、前記架台は、前記下地材に固定される架台本体（例えば、後述の架台本体４０）と、前記架台本体の棟側の端部を覆うように配置される棟化粧材（例えば、後述の棟側枠材６２）と、前記棟化粧材の内側で前記下地材の上面に固定される水返し材（例えば、後述の水返し材９）と、を備え、前記太陽光パネルと前記下地材との間には、軒側に開口する軒側通気口（例えば、後述の軒側通気口７１）と、棟側に開口する棟側通気口（例えば、後述の棟側通気口７２）と、を有する通気路（例えば、後述の通気路７）が形成され、前記棟化粧材は、前記棟側通気口を介して前記通気路に連通するとともに、外側に開口する排気口（例えば、後述の排気口８１）を有する排気路（例えば、後述の排気路８）を前記水返し材とともに形成する太陽光発電屋根に関する。
【０００９】
前記水返し材には、軒側から棟側に細長く延びる締結孔（例えば、後述の締結孔２９２）が形成され、前記締結孔を挿通する締結部材（例えば、後述のビス９５）により前記水返し材が前記下地材に固定されることが好ましい。
【００１０】
また、本発明は、下地材（例えば、後述の下地材３）から離隔して配置される太陽光パネル（例えば、後述の太陽光パネル５）を備える太陽光発電屋根（例えば、後述の太陽光発電屋根１）において、棟から軒に亘って配置されるとともに、前記太陽光パネルを固定する架台（例えば、後述の太陽光パネル架台４）であって、前記下地材に固定される架台本体（例えば、後述の架台本体４０）と、前記架台本体の棟側の端部を覆うように配置される棟化粧材（例えば、後述の棟側枠材６２）と、前記棟化粧材の内側で前記下地材の上面に固定される水返し材（例えば、後述の水返し材９）と、を備え、前記架台本体は、前記太陽光パネルと前記下地材との間に、軒側に開口する軒側通気口（例えば、後述の軒側通気口７１）と、棟側に開口する棟側通気口（例えば、後述の棟側通気口７２）と、を有する通気路（例えば、後述の排気路８）を形成し、前記棟化粧材は、前記棟側通気口を介して前記通気路に連通するとともに、外側に開口する排気口（例えば、後述の排気口８１）を有する排気路（例えば、後述の排気路８）を前記水返し材とともに形成する架台に関する。
【発明の効果】
【００１１】
本発明によれば、意匠性を向上させるとともに、建物の形状に応じて通気路の良好な通気性を実現できる太陽光発電屋根及びそれに用いられる架台を提供できる。
【図面の簡単な説明】
【００１２】
【図１】本発明の第１実施形態に係る太陽光発電屋根を示す斜視図である。
【図２】上記実施形態に係る太陽光発電屋根の縦断面図である。
【図３】上記実施形態に係る太陽光発電屋根の隅部の横断面図である。
【図４】上記実施形態に係る太陽光発電屋根の隅部を示す拡大平面図である。
【図５】上記実施形態に係る太陽光発電屋根の棟側枠材の拡大縦断面図である。
【図６】上記実施形態に係る棟カバーの取付位置の調整機能を説明する図である。
【図７】第２実施形態に係る太陽光発電屋根の棟側枠材の拡大縦断面図である。
【発明を実施するための形態】
【００１３】
以下、本発明の実施形態について図面を参照しながら詳細に説明する。
【００１４】
図１は、本発明の第１実施形態に係る太陽光発電屋根１を示す斜視図である。図１に示すように、太陽光発電屋根１は、建物の屋根面に配置されており、該屋根面の略全面が太陽光パネルと一体となっており、統一感のある高い意匠性が実現されている。また、本実施形態の屋根面は、棟から片側に傾斜する片流れ式になっている。
【００１５】
図２は、上記実施形態に係る太陽光発電屋根１の縦断面図である。図３は、上記実施形態に係る太陽光発電屋根１の隅部の横断面図である。図４は、上記実施形態に係る太陽光発電屋根１の隅部を示す拡大平面図である。
【００１６】
図２に示すように、太陽光発電屋根１は、下地材３と、太陽光パネル架台４と、太陽光パネル５と、を備える。下地材３は、屋根面に配置され、太陽光発電屋根１の土台部分を構成する。下地材３により、太陽光パネル架台４が固定支持され、該太陽光パネル架台４に太陽光パネル５が配置される。
【００１７】
図３に示すように、下地材３は、野地板３１と、防水シート３２と、鋼板３３と、を備える。野地板３１は、建物２の屋根の骨組みである垂木３０の上に張られて配置される。この野地板３１は、太陽光発電屋根１の全面に配置される。野地板３１としては、合板等の板材が用いられる。
【００１８】
防水シート３２は、上述の野地板３１上に配置される。この防水シート３２により、太陽光発電屋根１の防水性が高められる。防水シート３２としては、板紙にアスファルトを含浸させたアスファルトルーフィング等の防水材料が用いられる。
【００１９】
鋼板３３は、上述の防水シート３２上に配置される。この鋼板３３により、太陽光発電屋根１の防火性、防水性及び強度が高められる。鋼板３３としては、従来公知の防火鋼板等が用いられる。
【００２０】
太陽光パネル架台４は、棟から軒に亘って配置される。本実施形態の太陽光パネル架台４は、架台本体４０と、化粧材６と、水返し材９と、を備える。
【００２１】
架台本体４０は、下地材３上にビス止めされて固定され、太陽光パネル５を固定支持する。架台本体４０は、格子状に枠組みされた複数の縦桟４１と、複数の横桟４２と、を備える。
【００２２】
縦桟４１は、屋根面の傾斜方向に延びて、棟から軒先に亘って通しで設けられる。縦桟４１は、屋根面の傾斜方向に沿うようにして一定間隔で複数配置されて下地材３にビス止めされる。また、図１に示すように、縦桟４１は、後述の隣接する太陽光パネル５の縦辺部の継ぎ目５１の直下に配置される。
【００２３】
横桟４２は、屋根面の傾斜方向に直交する方向に延びて設けられ、縦桟４１上にビス止めされる。横桟４２は、後述の隣接する太陽光パネル５の横辺部の横連結部５２の直下に配置される。また、横桟４２は、隣接する縦桟４１同士を橋渡しするように複数設けられる。即ち、横桟４２は、両ケラバ側端部間に亘って通しで設けられてはいない。
【００２４】
なお、架台本体４０を構成する縦桟４１と横桟４２は、それぞれ種々の排水構造を備える。
【００２５】
太陽光パネル５は、モジュール部品であり、複数枚が太陽光発電屋根１の屋根面の傾斜方向及び該傾斜方向と直交する方向に並列配置される。
【００２６】
太陽光パネル５は、下地材３から離隔した状態で太陽光パネル架台４（架台本体４０）上に固定支持される。太陽光パネル５と下地材３との間には、架台本体４０によって通気路７が形成される。
【００２７】
図１に示すように、太陽光パネル５の周縁部のうち、屋根面の傾斜方向に沿う縦辺部は、隣接する太陽光パネル５の縦辺部との間に、縦方向に延びる継ぎ目５１を形成する。また、太陽光パネル５の周縁部のうち、屋根面の傾斜方向に直交する方向に沿う横辺部は、上述の架台本体４０を構成する横桟４２を間に挟んで、隣接する太陽光パネル５の横辺部に連結されることで、横連結部５２を形成する。横連結部５２は、上述したように、架台本体４０を構成する横桟４２の直上に配置される。
【００２８】
また、本実施形態の化粧材６は、軒側枠材６１と、一対のケラバ側枠材６３，６３と、棟側枠材６２と、を備える。これら軒側枠材６１、一対のケラバ側枠材６３，６３及び棟側枠材６２は、架台本体４０（太陽光パネル５）の周囲を囲繞する周囲枠を構成する。周囲枠を構成する各部材について説明する。
【００２９】
軒側枠材６１は、太陽光発電屋根１の軒先に配置される。軒側枠材６１は、太陽光発電屋根１の屋根面の傾斜方向に直交する方向に延びてその軒先を覆うことで、軒先を保護する。これにより、軒先の意匠性が高められている。
【００３０】
本実施形態の軒側枠材６１は、軒カバー取付部６１０と、軒カバー６１１と、軒端部カバー８０と、を備える。軒カバー取付部６１０は、軒に沿って延設され、架台本体４０の横桟４２にビス止めされる。
【００３１】
軒カバー６１１は、軒先に沿って延設され、軒カバー取付部６１０を介して架台本体４０に取り付けられる。軒カバー６１１は、断面視で、屋根面の傾斜方向に沿って延びた後、軒先に向かうに従い下方に傾斜して設けられる。軒端部カバー８０は、軒側の妻側の端部に設けられる。軒端部カバー８０は、軒カバー６１１の外形に沿って軒カバー６１１を覆うように設けられ、軒カバー６１１にビス止めされる。
【００３２】
また、図２及び図３に示すように、太陽光発電屋根１は、ケラバ側破風板６４と、軒側破風板６５と、軒樋６６と、棟側破風板６７と、を備える。なお、図１ではこれらケラバ側破風板６４、軒側破風板６５及び軒樋６６の記載は省略している。
【００３３】
ケラバ側破風板６４は、破風下地６４１を介してケラバ側の端部から垂下して設けられる。軒側破風板６５は、破風下地６５１を介して軒先から垂下して設けられ、棟側破風板６７は、破風下地６７１を介して軒先から垂下して設けられる。軒樋６６は、軒側破風板６５の外面に取り付けられ、上述の架台本体４０の縦桟４１等により軒先から排出される雨水を排水する。
【００３４】
次に、ケラバ側枠材６３について説明する。図１に示すように、一対のケラバ側枠材６３，６３は、太陽光発電屋根１のケラバ側の端部に配置される。一対のケラバ側枠材６３，６３は、太陽光発電屋根１の屋根面の傾斜方向に延びて妻側の端部をそれぞれ覆うことで、妻側の端部を保護する。これにより、妻側の端部の意匠性が高められている。
【００３５】
図３に示すように、一対のケラバ側枠材６３，６３は、それぞれ第１ケラバ側枠材６３１と、第２ケラバ側枠材６３２を有する。
【００３６】
第１ケラバ側枠材６３１は、ケラバに沿って延設され、第２ケラバ側枠材６３２にビス止めされる。また、第１ケラバ側枠材６３１は、断面視で、妻側に向かって延びた後、下方に屈曲して延出する。
【００３７】
第２ケラバ側枠材６３２は、ケラバに沿って延設され、第１ケラバ側枠材６３１の下部に配置される。第２ケラバ側枠材６３２は、上述の架台本体４０を構成する縦桟４１にビス止めされる。第２ケラバ側枠材６３２（ケラバ側枠材６３）は、太陽光パネル５側の下部に形成され且つ屋根面の端部に配置される縦桟４１の少なくとも一部を収容可能な凹部６３２ａを有する。
【００３８】
図４に示すように、太陽光発電屋根１は、ケラバ側枠材６３の上面に取り付けられる隙間カバー６３３を更に有する。隙間カバー６３３は、ケラバ側枠材６３と太陽光パネル５との間に形成される隙間を塞ぐ。
【００３９】
棟化粧材としての棟側枠材６２は、太陽光発電屋根１の架台本体４０（縦桟４１）の棟側の端部を覆うように配置される。棟側枠材６２は、太陽光発電屋根１の屋根面の傾斜方向に直交する方向に延びてその棟部を覆うことで、棟部を保護する。これにより、棟部の意匠性が高められている。
【００４０】
次に、棟側枠材６２の構成について説明する。図５は、上記実施形態に係る太陽光発電屋根１の棟側枠材６２の拡大縦断面図である。図６は、上記実施形態に係る棟カバー６２３の取付位置の調整機能を説明する図である。
【００４１】
図５に示すように、本実施形態の棟側枠材６２は、棟アタッチメント６２１と、棟カバー取付部６２２と、棟カバー６２３と、棟端部カバー７０と、を備える。
【００４２】
棟アタッチメント６２１は、棟に沿って延設され、架台本体４０の縦桟４１にビス止めされる。棟アタッチメント６２１は、その上部の棟側にビス固定部６２１ａが形成される。ビス固定部６２１ａは、棟アタッチメント６２１の軒側の上面に対して凹むように形成されている。
【００４３】
棟カバー取付部６２２は、棟に沿って延設され、棟アタッチメント６２１にビス止めされる。本実施形態の棟カバー取付部６２２は、取付本体部６２２ａと、締結片６２２ｂと、取付部側係合部６２２ｃと、を備える。
【００４４】
取付本体部６２２ａは、その下部が棟側に近づくに従って屋根面から離れるように傾斜面６２２ｄを有し、その断面形状が傾斜方向における軒側の反対側に突出する略三角形状に形成される。
【００４５】
取付本体部６２２ａの傾斜面６２２ｄの下部には、傾斜方向における軒側と棟側の二手に分岐する延出部６２２ｅが形成される。延出部６２２ｅは、軒側に延びた後、上方に屈曲し、溝６２２ｆを形成する。この溝６２２ｆに溜まった水は縦桟４１に流れ込んで軒側に排水される。
【００４６】
締結片６２２ｂは、取付本体部６２２ａの軒側の上部から、傾斜方向の軒側に延び出るように形成される。締結片６２２ｂの下面がビス固定部６２１ａの上面に対面する状態でビスが締結されることにより、棟アタッチメント６２１と棟カバー取付部６２２が接続される。
【００４７】
取付部側係合部６２２ｃは、棟カバー取付部６２２の傾斜方向における棟側の端部に形成される。取付部側係合部６２２ｃは、後述の棟カバー側係合部６２５と傾斜方向で係合する凹状になっている。また、取付部側係合部６２２ｃの傾斜方向の軒側には棟に沿って延びる凹部６２２ｇが形成される。
【００４８】
棟カバー６２３は、棟に沿って延設され、棟カバー取付部６２２を介して架台本体４０に固定される。
【００４９】
本実施形態の棟カバー６２３は、カバー本体部６２３ａと、複数の棟カバー側係合部６２５ａ，ｂ，ｃと、を備える。
【００５０】
カバー本体部６２３ａは、断面視で、棟側に向かって屋根面の傾斜方向に沿って延びた後、下方に傾斜するように形成される。
【００５１】
棟カバー側係合部６２５ａ，ｂ，ｃは、棟カバー取付部６２２に対する棟カバー６２３の取付位置を調整するための部材である。棟カバー側係合部６２５ａ，ｂ，ｃは、傾斜方向の棟側から軒側に向かう方向で略等間隔に配置されている。
【００５２】
本実施形態では、棟カバー側係合部６２５ａは、カバー本体部６２３ａの内面における軒側を向く面から傾斜方向に突出するように形成される。図５に示す例では、軒側から最も離れた位置の棟カバー側係合部６２５ａが取付部側係合部６２２ｃに係合されている。
【００５３】
また、棟カバー側係合部６２５ｂ及び棟カバー側係合部６２５ｃは、その断面形状が、カバー本体部６２３ａの内面の上側から下側に突出した後、傾斜方向の軒側に屈曲する略Ｌ字状に形成されている。
【００５４】
棟カバー側係合部６２５ａ，ｂ，ｃの何れかを棟カバー取付部６２２の取付部側係合部６２２ｃに差し込むことにより、棟カバー６２３の位置が決まる。
【００５５】
図１に示すように、棟端部カバー７０は、棟の妻側の端部にそれぞれ設けられる。図４に示すように、棟端部カバー７０は、棟カバー６２３を覆うように棟カバー６２３の外形に沿って形成される。棟カバー６２３にビス止めされる。
【００５６】
ここで、図６を参照して棟カバー６２３の取付位置の調整機能について説明する。図６では、同じ構造の棟カバー取付部６２２において、棟カバー６２３の取付位置が異なる場合を示している。
【００５７】
図６（ａ）は、棟カバー側係合部６２５ａと取付部側係合部６２２ｃが係合している状態を示している。図６（ａ）に示す取付位置では、横桟４２から棟カバー６２３の端面までの長さＬ１が他の取付位置よりも相対的に短くなっている。また、棟端部カバー７０を締結するビス７５の先端部が凹部６２２ｇの内側に位置している。
【００５８】
図６（ｂ）は、棟カバー側係合部６２５ｂと取付部側係合部６２２ｃが係合している状態を示している。図６（ｂ）では、棟カバー側係合部６２５ａに対して軒側に位置する棟カバー側係合部６２５ｂに取付部側係合部６２２ｃが係合しているため、横桟４２から棟カバー６２３の端面までの長さＬ２がＬ１よりも長くなっている。また、棟端部カバー７０を締結するビス７５の先端部が取付部側係合部６２２ｃよりも傾斜方向の棟側に位置している。
【００５９】
図６（ｃ）は、棟カバー側係合部６２５ｃと取付部側係合部６２２ｃが係合している状態を示している。図６（ｃ）では、複数の棟カバー側係合部６２５ａ，ｂ，ｃのうち、最も軒側に位置する棟カバー側係合部６２５ｃに取付部側係合部６２２ｃが係合しているため、横桟４２から棟カバー６２３の端面までの長さＬ３が他の取付位置の長さＬ２及びＬ３よりも長くなっている。また、棟端部カバー７０を締結するビス７５の先端部が取付部側係合部６２２ｃよりも傾斜方向の棟側に位置している。
【００６０】
ところで、太陽光パネル５の大きさは、商品ごとの規格によって特定の大きさに定められており、屋根の大きさも個々の建物によって変わる。従って、太陽光パネル５と周囲枠の間の隙間の距離は適用される太陽パネルの規格、設置数、レイアウト等や屋根の形状によって一定ではない。本実施形態によれば、複数の棟カバー側係合部６２５ａ，ｂ，ｃが棟カバー６２３に形成されていることにより、棟カバー６２３の取付位置を調整することにより、太陽光パネル５と周囲枠の間の隙間を現場で調整可能になっており、意匠性や通気路７の通気性を損なうことなく、周囲枠の間の隙間を埋めることができる。
【００６１】
次に、水返し材９について説明する。水返し材９は、排気路８内における片流れ屋根の棟側の端部であって下地材３の上面に立設される。水返し材９は、排気路８を通気路７に連通する通気路側排気路８２と、排気口８１に連通する排気口側排気路８３と、これらを連通する連通路８４とに仕切る。即ち、本実施形態では、水返し材９と棟カバー６２３（棟側枠材６２）
【００６２】
本実施形態の水返し材９は、水返し本体部９１と、締結孔９２と、延出部９３と、を備える。
【００６３】
水返し本体部９１は、棟に沿って延設され、その断面形状がＬ字状に形成される。水返し本体部９１の底部が下地材３の上面に接した状態となる。
【００６４】
締結孔９２は、水返し本体部９１の底部に形成される。この締結孔９２を通じてビス９５によって水返し本体部９１が下地材３の上面側に固定される。本実施形態では、ビス９５の締結箇所が、水返し本体部９１における棟に沿う方向の複数個所に設定されている。
【００６５】
延出部９３は、水返し本体部９１の上端部から傾斜方向の両側にそれぞれ延出しており、断面形状が略Ｔ字状になっている。この延出部９３によって排気口８１を通じて外部から入った水が水返し本体部９１を乗り越えて棟側通気口７２側に侵入する事態が防止される。
【００６６】
ここで、太陽光パネル５と下地材３との間の通気路７について説明する。図２に示すように、通気路７は、軒側に開口する軒側通気口７１と、棟側に開口する棟側通気口７２と、を有する。更に、棟側枠材６２（棟カバー６２３）は、棟側通気口７２を介して通気路７に連通するとともに、棟を介して棟側通気口７２とは逆側に配置される排気口８１を有する排気路８を形成する。排気口８１は、棟側の下方に開口する。
【００６７】
例えば、軒側通気口７１から通気路７に流入した空気は、棟側通気口７２を通過する。通気路７を空気が流通することにより、太陽光パネル５が裏面側から冷却される。そして、棟側通気口７２を通過した空気は、排気路８を通過して排気口８１から排出される。排気口８１から排気路８に流入した空気は、逆方向に流通する。
【００６８】
排気口側排気路８３は、空気の出入口となり、換気性能をより良好なものにする観点から建物の屋根形状に応じて調整することが好ましい。本実施形態では、排気口側排気路８３を形成する水返し材９及び棟カバー６２３の形状を変更するための加工を工場で行ったり、現場で加工したりすることなく、水返し材９の取付位置の調整によって排気口側排気路８３の幅を正確に設定できる。また、本実施形態のように棟カバー６２３の位置を調整できる構成であれば、棟カバー６２３の位置に応じて水返し材９を調整することもでき、現場の施行状況に応じて柔軟に対応することができる。
【００６９】
以上説明したように、第１実施形態に係る太陽光発電屋根１によれば、以下の効果が奏される。
即ち、第１実施形態の太陽光発電屋根１は、棟から軒に亘って配置される太陽光パネル架台４と、下地材３から離隔して配置されるとともに太陽光パネル架台４に固定される太陽光パネル５と、を備える。太陽光パネル架台４は、下地材３に固定される架台本体４０と、架台本体４０の棟側の端部を覆うように配置される棟側枠材６２と、棟側枠材６２の内側で下地材３の上面に固定される水返し材９と、を備える。太陽光パネル５と下地材３との間には、軒側に開口する軒側通気口７１と、棟側に開口する棟側通気口７２と、を有する通気路７が形成される。棟側枠材６２は、棟側通気口７２を介して通気路７に連通するとともに、外側に開口する排気口８１を有する排気路８を水返し材９とともに形成する。
【００７０】
これにより、軒側から吹く風によって軒側通気口７１から通気路７に吹き込んだ空気は、通気路７及び排気路８を経由して排気口８１から棟側に抜ける。逆に、棟側から吹く風によって排気口８１から排気路８に吹き込んだ空気は、排気路８及び通気路７を経由して軒側通気口７１から軒側に抜ける。また、雨水が排気口８１から排気路８内に吹き込んだとしても、通気路７で雨水が入ってしまうのを防ぐことができる。また、この水返し材９は、下地材３の上面に固定されており、下地材３の寸法に応じて設置位置を調整できるので、棟カバー６２３と水返し材９によって形成される排気路８の幅を所望の長さに正確に設定することができ、下地材３の寸法（建物の形状）によって排気路８が狭まったり、広くなり過ぎたりする事態を回避し、良好な通気性及び排水性を実現できる。また、太陽光発電屋根１は、棟側の通気口が棟側枠材６２の上側に形成されていないことから、太陽光パネル５の表面と棟側枠材６２の表面との間の段差を大きくする必要がないので、意匠性を高くすることが可能である。
【００７１】
また、本実施形態における太陽光発電屋根１に用いられる太陽光パネル架台４によれば、太陽光発電屋根１と同様の効果が得られる。
【００７２】
なお、本発明は上記実施形態に限定されるものではなく、本発明の目的を達成できる範囲での変形、改良等は本発明に含まれる。
【００７３】
次に、第２実施形態について説明する。図７は、第２実施形態に係る太陽光発電屋根１Ｓの棟側枠材６２の拡大縦断面図である。なお、以下の説明において上記実施形態と同様の構成についてはその説明を省略することがある。
【００７４】
第２実施形態の水返し材９Ｓは、締結孔９２の形状が上記実施形態の構成とは異なる。図６に示すように、水返し材９Ｓの締結孔２９２は、傾斜方向に細長い長穴となっている。
【００７５】
この第２実施形態の水返し材９Ｓを備える太陽光発電屋根１Ｓによれば、上記の第１実施形態に係る太陽光発電屋根１の奏する効果に加えて、以下の効果が奏される。
即ち、第２実施形態の水返し材９Ｓには、軒側から棟側に細長く延びる締結孔２９２が形成され、締結孔２９２を挿通するビス９５により前記水返し材９Ｓが下地材３に固定される。
これにより、水返し材９Ｓを締結又は仮締結した後に水返し材９Ｓの位置を傾斜方向に調整することができる。従って、長手方向の複数個所にビス９５を締結するような場合や下地材３の上面の形状にばらつきがある場合等であっても、ビス９５を締結又は仮締結した後に水返し材９Ｓの取付位置の微調整を行うことができ、排気路８の幅をより一層正確に設定することができる。
【００７６】
また、上記実施形態においては、棟アタッチメント６２１に棟カバー６２３が直接ビス止めされるものとしたが、本発明はこれに限定されない。例えば、太陽光パネル５と棟側枠材６２との間に調整材を配置する構成にも本発明を適用できる。これにより、太陽光パネル５と棟側枠材６２との間に調整材を配置し、更に調整材の枚数や大きさを調整することによっても、意匠性や通気路７の通気性を損なうことなく、調整材と周囲枠の間の隙間を埋めることができる。
【００７７】
また、上記実施形態では、片流れ式の太陽光発電屋根１，１Ｓについて説明したが、本発明は片流れ式の屋根に限定されず、切妻式の屋根に適用することも可能である。また、太陽光パネルと屋根材が張り分けられる形式の太陽光発電屋根においても本発明を適用できる。
【符号の説明】
【００７８】
１，１Ｓ  太陽光発電屋根
３  下地材
４  太陽光パネル架台
５  太陽光パネル
７  通気路
８  排気路
９，９Ｓ  水返し材
４０  架台本体
６２  棟側枠材
７１  軒側通気口
７２  棟側通気口
８１  排気口
【図１】
0006726459.tif 000002
【図２】
0006726459.tif 000003
【図３】
0006726459.tif 000004
【図４】
0006726459.tif 000005
【図５】
0006726459.tif 000006
【図６】
0006726459.tif 000007
【図７】
0006726459.tif 000008